(57)【要約】【課題】外側脚部材の強度を低下させることなく、外側脚部材と内側脚部材の接続長さを細かいピッチで多段的に調節することができる伸縮部材の長さ調節機構を提供する。【解決手段】外側脚部材６の周方向に対して異なった複数箇所の位置に調節孔列１１と１２を、各調節孔列１１と１２ごとに長さ調節孔１０の配置が長さ方向に沿って異なるように設け、同内側脚部材７に、各調節孔列１１と１２に対応するように複数の挿通孔１３を同一周面上に配置して設け、結合部材９を用いた外側脚部材６と内側脚部材７の結合時に、使用する調節孔列１１、１２とその調節孔１０を選択することにより、調節孔列１１、１２の長さ調節孔１０の配置間隔よりも細かいピッチで外側脚部材６と内側脚部材７の接続長さを調節する。【選択図】図３
2006316857.tif 000002
【特許請求の範囲】
【請求項１】
長さ方向に伸縮自在となるよう嵌め合わせた外側部材と内側部材の接続長さを、嵌め合わせ部分を軸線と直交方向に貫通する結合部材によって調節するため、外側部材と内側部材の何れか一方部材に、結合部材が貫通する複数の調節孔が長さ方向に沿って所定の間隔で並ぶ調節孔列を設け、同他方部材に、前記結合部材が貫通する挿通孔を設け、何れかの長さ調節孔とこれに一致させた挿通孔に結合部材を挿通することで外側部材と内側部材を結合し、この結合時に用いる長さ調節孔を選択することにより、外側部材と内側部材の接続長さを長さ調節孔の間隔で調節するようにした伸縮部材の長さ調節機構において、
前記一方部材の周方向に対して異なった複数箇所の位置に前記調節孔列を、各調節孔列ごとに長さ調節孔の配置が長さ方向に沿って異なるように設け、同他方部材に、各調節孔列に対応するように複数の挿通孔を同一周面上に配置して設け、前記結合部材を用いた外側部材と内側部材の結合時に、使用する調節孔列とその調節孔を選択することにより、調節孔列の長さ調節孔の配置間隔よりも細かいピッチで外側部材と内側部材の接続長さを調節することができるようにしたことを特徴とする伸縮部材の長さ調節機構。
【請求項２】
上記外側部材と内側部材が角パイプによって形成され、外側部材の対向する一対の面に第１の調節孔列と、他の対向する一対の面に第２の調節孔列を、この第１と第２の調節孔列における調節孔の配置が角パイプの長さ方向に沿って半ピッチ異なるように設け、上記
内側部材の対向する一対の面に第１の調節孔列に対応する挿通孔と、他の対向する一対の面に第２の調節孔列に対応する挿通孔を角パイプの同一周面上に配置して設けたことを特徴とする請求項１に記載の伸縮部材の長さ調節機構。
【発明の詳細な説明】
【技術分野】
【０００１】
この発明は、外側部材と内側部材を、長さ方向に伸縮自在となるよう嵌め合わせ、外側部材と内側部材の接続長さを、嵌め合わせ部分を軸線と直交方向に貫通する結合部材によって調節する伸縮部材において、外側部材と内側部材の接続長さを、細かいピッチで多段的に調節することができるようにした長さ調節機構に関する。
【背景技術】
【０００２】
角パイプを用いた外側部材と内側部材を、長さ方向に伸縮自在となるよう嵌め合わせ、結合部材によってその接続長さを調整可能とする伸縮部材として、例えば、テーブル、ベッド、各種家具類等の脚を例示することができ、これらの部材は使用条件によって高さの調節が必要になるので、その脚は上下に長さの調節が可能な伸縮構造になっている。
【０００３】
従来の伸縮脚に採用されている長さ調節のための機構は、外側脚部材と内側脚部材が角パイプによって形成され、接地側となる外側脚部材の対向する一対の面に、ボルトが貫通する複数の調節孔を角パイプの長さ方向に沿って一定の間隔で並べて設け、内側脚部材に、前記ボルトが貫通する挿通孔を長さ調節孔と対応するように設け、何れかの長さ調節孔とこれに一致させた挿通孔にボルトを挿通して貫通させる、ナットを螺合することで外側脚部材と内側脚部材を結合し、この結合時に用いる長さ調節孔を選択することにより、外側脚部材と内側脚部材の接続長さを長さ調節孔の間隔で多段的に調節することができるようになっている。
【０００４】
上記のような伸縮脚には、外側脚部材と内側脚部材のボルトが貫通する部分、特に接地側となる外側脚部材の長さ調節孔には、貫通するボルトによって押し下げ荷重がかかることになる。
【０００５】
ところで、外側脚部材に設けた長さ調節孔は、上下に一定間隔で並んでいるので、外側脚部材は、上下に並ぶ長さ調節孔を接近して設けると、長さ調節孔間の部分が強度的に低下することになり、このため、従来の長さ調節機構においては、長さ調節孔の配置間隔を広くとることによって強度を確保している。
【発明の開示】
【発明が解決しようとする課題】
【０００６】
しかし、外側脚部材に設ける長さ調節孔の配置間隔が広いと、伸縮脚の上下長さの調節間隔が大きなピッチでしか行えないことなり、このため、使用条件に応じた細かいピッチでの長さ調節ができないという問題がある。
【０００７】
そこで、この発明の課題は、外側部材の強度を低下させることなく、外側部材と内側部材の接続長さを細かいピッチで多段的に調節することができる伸縮部材の長さ調節機構を提供することにある。
【課題を解決するための手段】
【０００８】
上記のような課題を解決するため、この発明は、長さ方向に伸縮自在となるよう嵌め合わせた外側部材と内側部材の接続長さを、嵌め合わせ部分を軸線と直交方向に貫通する結合部材によって調節するため、外側部材と内側部材の何れか一方部材に、結合部材が貫通する複数の調節孔が長さ方向に沿って所定の間隔で並ぶ調節孔列を設け、同他方部材に、前記結合部材が貫通する挿通孔を設け、何れかの長さ調節孔とこれに一致させた挿通孔に結合部材を挿通することで外側部材と内側部材を結合し、この結合時に用いる長さ調節孔を選択することにより、外側部材と内側部材の接続長さを長さ調節孔の間隔で調節するようにした伸縮部材の長さ調節機構において、前記一方部材の周方向に対して異なった複数箇所の位置に前記調節孔列を、各調節孔列ごとに長さ調節孔の配置が長さ方向に沿って異なるように設け、同他方部材に、各調節孔列に対応するように複数の挿通孔を同一周面上に配置して設け、前記結合部材を用いた外側部材と内側部材の結合時に、使用する調節孔列とその調節孔を選択することにより、調節孔列の長さ調節孔の配置間隔よりも細かいピッチで外側部材と内側部材の接続長さを調節することができるようにした構成を採用したものである。
【０００９】
上記外側部材と内側部材が角パイプによって形成され、外側部材の対向する一対の面に第１の調節孔列と、他の対向する一対の面に第２の調節孔列を、この第１と第２の調節孔列における調節孔の配置が角パイプの長さ方向に沿って半ピッチ異なるように設け、上記
内側部材の対向する一対の面に第１の調節孔列に対応する挿通孔と、他の対向する一対の面に第２の調節孔列に対応する挿通孔を角パイプの同一周面上に配置して設けた構造とすることができる。
【００１０】
ここで、上記外側部材と内側部材は、アルミ等の角パイプを用いて形成され、外側部材に設けた第１の調節孔列と第２の調節孔列における調節孔のピッチは、外側部材の調節孔列を設けた部分が、使用時の荷重に対する強度を確保できる間隔に設定し、第１の調節孔列と第２の調節孔列における調節孔の配置を角パイプの長さ方向に沿って半ピッチ異なるように設けることにより、外側部材と内側部材の接続長さの調節が、調節孔の配置の半ピッチ間隔で細かく行えることになる。
【発明の効果】
【００１１】
この発明によると、複数組の調節孔列における長さ調節孔の配置を、一方部材の長さ方向に沿って異なるように設けたので、外側部材と内側部材の接続長さの調節が、使用する調節孔列とその調節孔を選択することにより、調節孔列の長さ調節孔の配置間隔よりも細かいピッチ間隔で細かく行え、使用条件に応じた細かいピッチでの長さ調節ができる。
【００１２】
また、調節孔列における調節孔のピッチを、一方部材の調節孔列を設けた部分が、使用時の荷重に対する強度を確保できる間隔に設定でき、一方部材の荷重支持強度を確保した上で、細かいピッチでの長さ調節が可能になる。
【発明を実施するための最良の形態】
【００１３】
以下、この発明の実施の形態を添付図面に基づいて説明する。
【００１４】
図１（ａ）と（ｂ）は、建物の床面と地面の段差のある部分に設置して使用するぬれ縁１を示し、平行する長い両側支持部材２、２間の上面にアルミ等の角材を用いた多数の棧部材３を、所定の間隔をあけて平行状に並べ、両側支持部材２、２の下部で両端と中間部の位置に伸縮部材である伸縮脚４を設け、長さ方向に並ぶ伸縮脚４の下部と、両側に対向する伸縮脚４の下部をそれぞれ補強棧５、５ａによって結合した構造になっている。
【００１５】
上記支持部材２、２と棧部材３及び伸縮脚４は材料にアルミ等を用い、支持部材２、２は断面下向きコ字状で、棧部材３は中空又はムクの角形断面に形成され、支持部材２、２と棧部材３の重なり部分を固定化することにより脚付きの簀状に組み立てられている。
【００１６】
上記伸縮脚４は、上下に所定の長さを有する角形断面のパイプからなる外側脚部材６と、この外側脚部材６の内部に丁度嵌り合う角形断面のパイプからなる内側脚部材７との組み合わせからなり、内側脚部材７の上端が支持部材２の内部に嵌り込み、支持部材２の上から内側脚部材７にねじ込んだビスにより、支持部材２に対して内側脚部材７は下向きの垂直配置に固定され、内側脚部材７に外嵌する外側脚部材６の下端部に高さ調整用の接地部材８が取付けられている。
【００１７】
上記伸縮脚４には、外側脚部材６と内側脚部材７を結合すると共に、上下の長さを調節するための長さ調節機構が設けられ、ぬれ縁１の上面高さを使用条件に合わせて調節することができるようになっている。
【００１８】
上記長さ調節機構は、図１乃至図３に示すように、外側脚部材６の対向する一対の面に、結合部材９を貫通させる複数の調節孔１０が長さ方向に沿って所定の間隔で並ぶ第１の調節孔列１１を設け、他の対向する一対の面に同じく結合部材９が貫通する複数の調節孔１０が長さ方向に沿って所定の間隔で並ぶ第２の調節孔列１２を設け、この第１と第２の調節孔列１１と１２における調節孔１０が外側脚部材６の長さ方向に沿って半ピッチ異なるように配置されている。
【００１９】
従って、第１と第２の調節孔列１１と１２は外側脚部材６の横断面において直角の配置となり、外側脚部材６に設けた第１の調節孔列１１と第２の調節孔列１２における調節孔１０のピッチは、外側脚部材６の調節孔列１１、１２を設けた部分が、使用時の荷重に対する強度を確保できる間隔に設定すればよく、ちなみに、第１と第２の調節孔列１１と１２は、外側脚部材６の厚みにもよるが、直径１０ｍｍ程度の調節孔１０をそれぞれ４０ｍｍの間隔で三個並べて設け、両者の調節孔１０を外側脚部材６の長さ方向に沿って半ピッチ異なるように配置することにより、２０ｍｍのピッチで外側脚部材６と内側脚部材７の長さの調節を可能にしている。
【００２０】
上記内側脚部材７には、対向する一対の面に、第１の調節孔列１１に対応するよう結合部材９が貫通する挿通孔１３と、他の対向する一対の面に第２の調節孔列１２に対応する同様の挿通孔１３が、内側脚部材７の同一周面上に配置して設けられている。
【００２１】
上記結合部材９は、図２のように、操作用頭部１４を有する雄ねじ軸１５を備えた雄部材１６と、操作用頭部１４を有する雌ねじ軸１７を備えた雌部材１８の組み合わせからなり、外側脚部材６の同じ高さ位置で対向する両側の調節孔１０の外部から内側脚部材７の挿通孔１３に挿入した状態で、雄ねじ軸１５と雌ねじ軸１７を互に螺合すれば、外側脚部材６と内側脚部材７を結合することができる。
【００２２】
次に、図４乃至図６は、上記した二台のぬれ縁１を並列配置して使用する場合に、隣接するぬれ縁１を互に結合して位置ずれが生じないようにするための接続金具の例であり、図４（ａ）乃至（ｃ）に示す上部接続金具１９は、伸縮脚４と結合する位置に複数のビス挿通孔２０を設けた帯状金属板の両端に下向きの折り曲げ片２１を設けて形成され、両側支持部材２と２に対して、伸縮脚４の取付け部分で隣接する棧部材３間の隙間の位置に、この上部接続金具１９を嵌め込み、上部接続金具１９の上から支持部材２を貫通して伸縮脚４の内側脚部材７にビス２２をねじ込むことにより、隣接するぬれ縁１の支持部材２と２を各伸縮脚４の位置において互に結合するようになっている。
【００２３】
図５（ａ）と（ｂ）は、支持部材２の両端に位置する伸縮脚４を互に結合する下部接続金具２３であり、長方形となる一枚の金属プレートの一方側縁で両端部の位置に、接地部材８の螺軸８ａに対して嵌挿する屈曲切り欠き２４を、両側螺軸８ａと８ａの間隔で設け、隣接するぬれ縁１と１の伸縮脚４に取付けた両側の接地部材８の螺軸８ａと８ａに対し、屈曲切り欠き２４、２４を挿入し、下部接続金具２３を屈曲切り欠き２４、２４の形状に沿うよう移動させて差し込めば、伸縮脚４と４の下部を互に結合することができ、下部接続金具２３は、屈曲切り欠き２４、２４の屈曲形状による引っ掛かりによって、螺軸８ａと８ａから簡単に離脱するようなことがない。
【００２４】
図６（ａ）と（ｂ）は、支持部材２の中間に位置する伸縮脚４を互に結合する中間接続金具２５であり、中間に位置する伸縮脚４の接続作業時は手が届かない条件になるので、ぬれ縁１を並列配置する際に中間位置の伸縮脚４、４に先付けしておくものである。
【００２５】
この中間接続金具２５は、同一構造のものを上下に反転させて左右に配置することにより、一種類で接続が行えるようになっており、矩形状プレート２６の一端側寄りに、接地部材８の螺軸８ａに対する嵌挿孔２７を設け、このプレート２６の途中に板厚分程度の段差を設け、プレート２６の他端側の位置に、角孔２８とこの角孔２８の切り起しによる係合片２９を設けた構造になっている。
【００２６】
上記ぬれ縁１を並列配置するとき、隣接するぬれ縁１と１の中央伸縮脚４、４に取付ける接地部材８の螺軸８ａを嵌挿孔２７に通すことで、両中央伸縮脚４と４に対して中間接続金具２５、２５を上下反転状態で互に相手側に突出するよう取付け、係合片２９が相手の角孔２８に係合するように中間接続金具２５、２５を重ねれば、隣接するぬれ縁１と１を中央伸縮脚４、４の位置において互に結合することができる。
【００２７】
この発明の長さ調節機構は、上記のような構成であり、伸縮脚４の長さを調整するには、外側脚部材６の同じ高さ位置で対向する両側の調節孔１０から内側脚部材７の挿通孔１３に、雄部材１６と雌部材１８を挿入して雄ねじ軸１５と雌ねじ軸１７を互に螺合すれば、外側脚部材６と内側脚部材７を結合することができ、この結合時に、使用する調節孔列１１と１２及びその調節孔１０を選択することにより、両調節孔列１１と１２における長さ調節孔１０の配置間隔よりも細かい半分のピッチで外側脚部材６と内側脚部材７の接続長さを調節することができる。
【００２８】
また、外側脚部材６の調節孔列１１と１２は、調節孔１０のピッチが、使用時の荷重に対する強度を確保できる間隔に設定でき、外側脚部材６の荷重支持強度を確保した上で、細かいピッチでの長さ調節が可能になる。
【００２９】
なお、図示例では、調節孔列１１、１２を外側脚部材６に設け、内側脚部材７に挿通孔１３を設けたが、これとは逆に、内側脚部材７に調節孔列１１、１２を設け、外側脚部材６に挿通孔１３を設けるようにしてもよく、また、長さ調節機構の用途は、図示のぬれ縁１に限るものではなく、各種家具類の脚類や横長部材であってもよく、伸縮部材の長さ調整部分に広く使用することができる。
【図面の簡単な説明】
【００３０】
【図１】（ａ）は伸縮脚を用いたぬれ縁の正面図、（ｂ）は同側面図
【図２】長さ調節機構を用いた伸縮脚の拡大した縦断側面図
【図３】長さ調節機構を用いた伸縮脚の分解斜視図
【図４】（ａ）は並列配置して隣接するぬれ縁の上部接続金具による接続状態を示すぬれ縁の縦断側面図、（ｂ）は上部接続金具の斜視図、（ｃ）は上部接続金具によるぬれ縁の接続状態の平面図
【図５】（ａ）は並列配置して隣接するぬれ縁の下部接続金具による伸縮脚の接続状態を示す正面図、（ｂ）は同接続状態の平面図
【図６】（ａ）は並列配置して隣接するぬれ縁の中央接続金具による中央伸縮脚の接続状態を示す縦断正面図、（ｂ）は中央接続金具の分解斜視図
【符号の説明】
【００３１】
１        ぬれ縁
２        支持部材
３        棧部材
４        伸縮脚
５        補強棧
５ａ      補強棧
６        外側脚部材
７        内側脚部材
８        接地部材
９        結合部材
１０      調節孔
１１      第１の調節孔列
１２      第２の調節孔列
１３      挿通孔
１４      操作用頭部
１５      雄ねじ軸
１６      雄部材
１７      雌ねじ軸
１８      雌部材
１９      上部接続金具
２０      ビス挿通孔
２１      折り曲げ片
２２      ビス
２３      下部接続金具
２４      屈曲切り欠き
２５      中間接続金具
２６      矩形状プレート
２７      嵌挿孔
２８      角孔
２９      係合片
【図１】
2006316857.tif 000003
【図２】
2006316857.tif 000004
【図３】
2006316857.tif 000005
【図４】
2006316857.tif 000006
【図５】
2006316857.tif 000007
【図６】
2006316857.tif 000008